(57)【要約】【課題】簡素な構成でありながら、タイヤ用金型をコンテナに組込む際や移動させる際などの作業を効率化および軽労化できるタイヤ用金型の保持治具およびこの保持治具を用いたタイヤ用金型のコンテナへの組込み方法を提供する。【解決手段】固定部材４を用いて各セクタ１１を載置部２の所定位置に固定し、環状に配置されてその環状中心ＣＬに対する離反位置にある各セグメント６の上面に載置部２を載置し、この載置部２の各セグメント６に対する周方向位置を周方向位置決め部３を用いて位置決めし、次いで、載置部２を上面に載置した状態で各セグメント６を環状中心ＣＬに対する近接位置に移動させて、各セクタ１１を、その外周面を対応する各セグメント６の内周面に対向させてセットし、次いで、各セクタ１１を、セットした各セグメント６の内周面に固定し、かつ、載置部２から各セクタ１１を取り外す。【選択図】図６
2018012302.tif 000002
【特許請求の範囲】
【請求項１】
環状に配置されてその環状中心に対する離反位置と近接位置との間で移動する複数のセグメントを備えたコンテナに取り付けられて使用される複数のセクタを保持するタイヤ用金型の保持治具であって、
前記離反位置で環状に配置されているそれぞれの前記セグメントの上面に載置される載置部と、それぞれの前記セグメントに対して前記載置部の周方向位置を所定の位置に位置決めする周方向位置決め部と、それぞれの前記セクタを前記載置部の所定位置に着脱自在に固定する固定部材とを備えて、前記載置部が前記上面に載置された状態でそれぞれの前記セグメントが前記近接位置に移動することで、前記載置部に固定されたそれぞれの前記セクタが、その外周面を対応するそれぞれの前記セグメントの内周面に対向させてセットされる構成にしたことを特徴とするタイヤ用金型の保持治具。
【請求項２】
前記周方向位置決め部が前記載置部から突出する突起であり、この突起が前記セグメントの上面に形成されている少なくとも１つの凹部に係合することにより、それぞれの前記セグメントに対して前記載置部の周方向位置が所定の位置に位置決めされる構成にした請求項１に記載のタイヤ用金型の保持治具。
【請求項３】
前記載置部が環状である請求項１または２に記載のタイヤ用金型の保持治具。
【請求項４】
請求項１〜３のいずれかに記載のタイヤ用金型の保持治具を用いてそれぞれの前記セクタを、対応するそれぞれの前記セグメントに取り付けるタイヤ用金型のコンテナへの組込み方法であって、
前記固定部材を用いて、それぞれの前記セクタを前記載置部の所定位置に固定し、次いで、前記載置部を前記離反位置で環状に配置されているそれぞれの前記セグメントの上面に載置し、前記周方向位置決め部を用いて、それぞれの前記セグメントに対して前記載置部の周方向位置を所定の位置に位置決めした状態にして、次いで、前記載置部を前記上面に載置した状態でそれぞれの前記セグメントを前記近接位置に移動させることで、それぞれの前記セクタを、その外周面を対応するそれぞれの前記セグメントの内周面に対向させてセットし、次いで、それぞれの前記セクタを、セットしたそれぞれの前記セグメントの内周面に固定し、かつ、それぞれの前記セクタを前記載置部から取り外すことを特徴とするタイヤ用金型のコンテナへの組込み方法。
【発明の詳細な説明】
【技術分野】
【０００１】
本発明は、タイヤ用金型の保持治具およびタイヤ用金型のコンテナへの組込み方法に関し、さらに詳しくは、簡素な構成でありながら、タイヤ用金型をコンテナに組込む際や移動させる際などの作業を効率化および軽労化できるタイヤ用金型の保持治具およびこの保持治具を用いたタイヤ用金型のコンテナへの組込み方法に関するものである。
【背景技術】
【０００２】
セクショナルタイプの加硫用金型を用いて空気入りタイヤを加硫する場合、加硫用金型を構成する複数のセクタがコンテナに組込まれる。コンテナは環状に配置された複数のセグメントを有していて、それぞれのセグメントはその環状中心に対して近接および離反する方向に移動する。それぞれのセクタは、対応するセグメントの内周面に取付けられる。セグメントの内周面に取付けられたそれぞれのセクタは、セグメントが環状中心に対して近接移動することにより縮径状態になって閉型し、離反移動することにより拡径状態になって開型する。
【０００３】
セクタは例えば５ｋｇ〜２０ｋｇ程度の重量物なので、セグメントの所定位置に位置合わせして、ボルト等を用いて固定する組込み作業には相当の労力を要する。しかも、１組の金型は８個程度のセクタを備えているため、組込み作業や移動作業に多大な時間が必要になる。
【０００４】
そこで、タイヤ用金型をコンテナに効率的に組込むことを可能にする金型交換装置が提案されている（例えば、特許文献１参照）。しかしながら、特許文献１で提案されている装置では、トレッドモールドを把持する部材の他に、この把持部材を駆動させる駆動手段やリンクプレートなどが必要とされていて、装置が非常に複雑で大掛かりになる。
【先行技術文献】
【特許文献】
【０００５】
【特許文献１】特開２０１０−１１０９４５号公報
【発明の概要】
【発明が解決しようとする課題】
【０００６】
本発明の目的は、簡素な構成でありながら、タイヤ用金型をコンテナに組込む際や移動させる際などの作業を効率化および軽労化できるタイヤ用金型の保持治具およびこの保持治具を用いたタイヤ用金型のコンテナへの組込み方法を提供することにある。
【課題を解決するための手段】
【０００７】
上記目的を達成するため、本発明のタイヤ用金型の保持治具は、環状に配置されてその環状中心に対する離反位置と近接位置との間で移動する複数のセグメントを備えたコンテナに取り付けられて使用される複数のセクタを保持するタイヤ用金型の保持治具であって、前記離反位置で環状に配置されているそれぞれの前記セグメントの上面に載置される載置部と、それぞれの前記セグメントに対して前記載置部の周方向位置を所定の位置に位置決めする周方向位置決め部と、それぞれの前記セクタを前記載置部の所定位置に着脱自在に固定する固定部材とを備えて、前記載置部が前記上面に載置された状態でそれぞれの前記セグメントが前記近接位置に移動することで、前記載置部に固定されたそれぞれの前記セクタが、その外周面を対応するそれぞれの前記セグメントの内周面に対向させてセットされる構成にしたことを特徴とする。
【０００８】
本発明のタイヤ用金型のコンテナへの組込み方法は、上記に記載のタイヤ用金型の保持治具を用いてそれぞれの前記セクタを、対応するそれぞれの前記セグメントに取り付けるタイヤ用金型のコンテナへの組込み方法であって、前記固定部材を用いて、それぞれの前記セクタを前記載置部の所定位置に固定し、次いで、前記載置部を前記離反位置で環状に配置されているそれぞれの前記セグメントの上面に載置し、前記周方向位置決め部を用いて、それぞれの前記セグメントに対して前記載置部の周方向位置を所定の位置に位置決めした状態にして、次いで、前記載置部を前記上面に載置した状態でそれぞれの前記セグメントを前記近接位置に移動させることで、それぞれの前記セクタを、その外周面を対応するそれぞれの前記セグメントの内周面に対向させてセットし、次いで、それぞれの前記セクタを、セットしたそれぞれの前記セグメントの内周面に固定し、かつ、それぞれの前記セクタを前記載置部から取り外すことを特徴とする。
【発明の効果】
【０００９】
本発明のタイヤ用金型の保持治具を用いると、固定部材によってそれぞれのセクタを所定位置に固定した載置部を移動させることで、金型を構成するすべてのセクタを一度に移動させることができる。そして、この載置部を環状に配置されたそれぞれのセグメントの上面に載置した状態で、これらセグメントを、環状中心に対する離反位置から近接位置に移動させるとともに、周方向位置決め部を用いることで、それぞれのセクタを、その外周面を対応するそれぞれの前記セグメントの内周面に対向させてセットすることができる。このように、簡素な保持治具でありながら、金型をコンテナに組込む際や移動させる際などの作業を効率化および軽労化できる。
【図面の簡単な説明】
【００１０】
【図１】セクタが固定された本発明のタイヤ用金型の保持治具を平面視で例示する説明図である。
【図２】図１のＡ−Ａ断面図である。
【図３】図１の載置部を環状に配置された離反位置のセグメントの上面に載置した状態を平面視で例示する説明図である。
【図４】図３のＢ−Ｂ断面図である。
【図５】図３のセグメントを近接位置に移動させた状態を平面視で例示する説明図である。
【図６】図５のＣ−Ｃ断面図である。
【図７】図６のセクタから載置部を取り外した状態を例示する説明図である。
【図８】保持治具に取り付けられた状態で保管されているセクタを縦断面視で例示する説明図である。
【図９】保持治具に取り付けられた状態で洗浄されているセクタを縦断面視で例示する説明図である。
【発明を実施するための形態】
【００１１】
以下、本発明のタイヤ用金型の保持治具およびタイヤ用金型のコンテナへの組込み方法を図に示した実施形態に基づいて説明する。
【００１２】
図１、２に例示する本発明のタイヤ用金型の保持治具１は、タイヤ用金型１０を構成する複数のセクタ１１を、タイヤ加硫装置に設置されるコンテナ５に対して組込む際、取り外す際などに使用する。金型１０は後述する図８に例示するように、環状に配置される複数のセクタ１１と、環状の上部プレート１２ａおよび下部プレート１２ｂとにより構成される。
【００１３】
図３、４に例示するようにコンテナ５は、環状に配置された複数のセグメント６を有している。それぞれのセグメント６の外周面は外周側下方に向かって傾斜している。それぞれのセグメント６に対して上下移動するコンテナリング７の内周面がセグメント６の外周面を摺動する。コンテナリング７が下方移動すると、環状に配置されたそれぞれのセグメント６は、その環状中心ＣＬに対する離反位置（図３、４に示すセグメント６の位置）から近接位置（図５、６に示すセグメント６の位置）に移動する。コンテナリング７が上方移動すると、環状に配置されたそれぞれのセグメント６は、その環状中心ＣＬに対する近接位置から離反位置に移動する。
【００１４】
保持治具１は、載置部２と、載置部２に設けられた周方向位置決め部３と、それぞれのセクタ１１を載置部２の所定位置に着脱自在に固定する固定部材４とを備えている。載置部２は金属等からなる剛体であり、離反位置で環状に配置されているそれぞれのセグメント６の上面に載置される。この実施形態では中央部が開口している円環状の載置部２が用いられているが、中央部が開口していない円盤状の載置部２を用いることもできる。
【００１５】
周方向位置決め部３は、環状に配置されているそれぞれのセグメント６に対して載置部２の周方向位置を所定の位置に位置決めする。この実施形態では、載置部２の下面の外縁部近傍で下方に突出する突起が周方向位置決め部３になっている。
【００１６】
１つのセグメント６Ａの上面には、環状中心ＣＬから半径方向に延在する溝（凹部６ａ）が形成されている。この凹部６ａに周方向位置決め部３が係合することにより、それぞれのセグメント６に対して載置部２の周方向位置が所定の位置に位置決めされる。
【００１７】
周方向位置決め部３は、この実施形態で例示した形態に限らずその他の形態を採用することもできる。また、周方向位置決め部３は、１箇所に限らず、周方向に間隔をあけて複数箇所に設けることもできる。例えば、すべてのセグメント６の上面に凹部６ａを設けて、それぞれの凹部６ａに対応する周方向位置決め部３を設けることもできる。或いは、載置部２の下面に凹溝状の周方向位置決め部３を設けて、この凹溝状の周方向位置決め部３に係合する突起をセグメント６の上面に設けることもできる。
【００１８】
載置部２の所定の位置には、厚み方向に貫通するボルト穴２ａが形成されている。このボルト穴２ａには、固定部材４となる取付けボルトが挿通する。ボルト穴２ａを挿通した固定部材４は、それぞれのセクタ１１の上面に形成されているボルト穴に螺合することにより、それぞれのセクタ１１が載置部２の所定位置に固定される。載置部２の所定位置に固定されたセクタ１１は環状に組み付けられた配置になる。
【００１９】
固定部材４は１つのセクタ１１に対して１個に限らず、複数個にすることもできる。固定部材４は取り付けボルトに限らず、それぞれのセクタ１１を載置部２の所定位置に着脱自在に固定できるものであればよい。
【００２０】
以下、この保持治具１を用いて、それぞれのセクタ１１を、対応するそれぞれのセグメント６に取り付けてコンテナ５への組込む手順を説明する。
【００２１】
まず、図１、２に例示したようにそれぞれのセクタ１１を、固定部材４を用いて載置部２の所定位置に固定する。この固定作業は加硫装置の近傍で行なう必要がなく、広いスペースが確保できる場所で行えるので作業が容易にできる。
【００２２】
次いで、それぞれのセクタ１１を固定した載置部２を、図３、４に例示するように離反位置で環状に配置されているそれぞれのセグメント６の上面に載置する。具体的には、ホイストクレーン等を用いて載置部２を移動させて、載置部２のセクタ１１を固定している位置よりも外周側の下面を、それぞれのセグメント６の上面に載置する。
【００２３】
この載置作業の際に、周方向位置決め部３を、セグメント６Ａの上面に形成されている凹部６ａに係合させる。この係合によって、それぞれのセグメント６に対して載置部２の周方向位置が所定の位置に位置決めする。即ち、載置部２に固定されているそれぞれのセクタ１１が、対応するそれぞれのセグメント６に合致する周方向位置に位置決めされる。また、載置部２をそれぞれのセグメント６の上面に載置することで、それぞれのセクタ１１が、対応するそれぞれのセグメント６に合致する上下方向位置に位置決めされる。
【００２４】
次いで、図５、６に例示するように載置部２をそれぞれのセグメント６の上面に載置した状態で、コンテナリング７を下方移動させる。離反位置にあったそれぞれのセグメント６は、下方移動するコンテナリング７によって近接位置に移動する。そのため、それぞれのセクタ１１は、その外周面が対応するそれぞれのセグメント６の内周面に対向してセットされる。セグメント６が移動する際には、周方向位置決め部３は凹部６ａに沿って相対移動するので円滑にセグメント６を移動させることができる。
【００２５】
次いで、それぞれのセクタ１１を、セットしたそれぞれのセグメント６の内周面に固定する。例えば、セグメント６の外周側から挿通させた固定ボルトをセクタ１１の外周面に形成されているボルト穴に螺合させることにより、それぞれのセグメント６とセクタ１１とを強固に固定する。また、それぞれのセクタ１１を載置部２に固定している固定部材４を除去して、それぞれのセクタ１１を載置部２から取り外す。その後、載置部２はコンテナ５の外部に移動させる。
【００２６】
セグメント６にセットされているそれぞれのセクタ１１は、セグメント６に保持されているので容易に外れることはない。そのため、それぞれのセクタ１１をセグメント６の内周面に固定する作業と、それぞれのセクタ１１を載置部２から取り外す作業とを、どちらを先に行っても構わない。
【００２７】
上記の作業を行なうことにより、図７に例示するように、それぞれのセクタ１１がセグメント６に取り付けられてコンテナ５への組込みが完了する。このコンテナ５は、加硫装置に設置されて使用される。それぞれのセクタ１１をコンテナ５から取り外す際には、それぞれのセクタ１１をコンテナ５に組み込む上述した手順と逆の手順を行えばよい。
【００２８】
このように本発明によれば、簡素な保持治具１を利用することで、金型１０を構成するすべてのセクタ１１を一度に所望の位置に移動させることができる。それ故、セクタ１を移動させる作業の効率化および軽労化を図ることができる。しかも、環状に組み付けられた配置のセクタ１１を一度に移動させることができるので非常に便利である。
【００２９】
また、この保持治具１を利用して、環状に配置されたそれぞれのセグメント６を、環状中心ＣＬに対する離反位置から近接位置に移動させることで、それぞれのセクタ１１を、対応するセグメント６にセットする作業が完了する。それ故、セクタ１１のコンテナ５への組込みや取外しの作業を大幅に効率化および軽労化できる。
【００３０】
特に、多品種少量生産の場合は、コンテナ５へのセクタ１１の組込みおよび取外し作業が頻繁になる。それ故、本発明を用いることにより、これら作業に要する時間を大幅に短縮することができるので生産性の向上に大きく寄与する。
【００３１】
保持治具１に取り付けられたそれぞれのセクタ１１は、そのまま、図８に例示するように保管することができる。ここでは、上面を開口した有底筒状の保管カゴ８に金型１０を構成するそれぞれのセクタ１１、上部プレート１２ａおよび下部プレート１２ｂが保管されている。
【００３２】
具体的には、載置部２の下面の外周側の部分が保管カゴ８の周縁に支持されていて、それぞれのセクタ１１は保管カゴ８の底部に載置されている下部プレート１２ｂの上方に配置されている。上部プレート１２ａは、その下面の外周側の部分を載置部２の上面に載せて保持されている。保持治具１を用いると、このように金型１０の構成部材（１１、１２ａ、１２ｂ）の一式をコンパクトにまとめて保管できるので管理し易くなる。
【００３３】
それぞれのセクタ１１が固定されている保持治具１を、図９に例示するように金型１０の洗浄装置９に移動させることもできる。図９では、保持治具１を下方にしてそれぞれのセクタ１１が洗浄装置９の内部に設置されている。
【００３４】
この状態で環状に配置されているそれぞれのセクタ１１の環状中心部に配置した洗浄ノズル９ａからブラスト材等をセクタ１１の内周面に吹き付ける。これにより、汚れが付着しているそれぞれのセクタ１１の内周面を洗浄することができる。図９では、保持治具１を下方にしているが上方にした状態で洗浄を行なうこともできる。
【符号の説明】
【００３５】
１  保持治具
２  載置部
２ａ  ボルト穴
３  周方向位置決め部
４  固定部材
５  コンテナ
６、６Ａ  セグメント
６ａ  凹部
７  コンテナリング
８  保管カゴ
９  洗浄装置
９ａ  洗浄ノズル
１０  タイヤ用金型
１１  セクタ
１２ａ  上部プレート
１２ｂ  下部プレート
ＣＬ  環状中心
【図１】
2018012302.tif 000003
【図２】
2018012302.tif 000004
【図３】
2018012302.tif 000005
【図４】
2018012302.tif 000006
【図５】
2018012302.tif 000007
【図６】
2018012302.tif 000008
【図７】
2018012302.tif 000009
【図８】
2018012302.tif 000010
【図９】
2018012302.tif 000011